(57)【要約】  ディスク装置は、ピックアップ装置を移動可能に保持するガイドシャフト２３１Ｂと、このガイドシャフト２３１Ｂのフォーカス方向への移動を案内する案内片２１４と、ガイドシャフト２３１Ｂのフォーカス方向と同方向に螺合する調整ねじ３３０と、案内片２１４の平面と直交する方向に移動可能に設けられるとともに、ガイドシャフト２３１Ｂの周面に当接するシャフト当接面３２３Ａ、および調整ねじ３３０の頭部３３２が当接することにより移動する調整面３２３Ｂを備えたスライダ３２０と、ガイドシャフト２３１Ｂをシャフト当接面３２３Ａに近接する側に付勢する板ばね３１２と、を具備し、シャフト当接面３２３Ａは、ガイドシャフト２３１Ｂの移動方向となす外角αが、調整面３２３Ｂと調整ねじ３３０の移動方向とがなす外角βよりも大きく設けられた。
2008107945.tif 000002
【特許請求の範囲】
【請求項１】
記録媒体を保持する保持手段に保持された前記記録媒体に情報を書き込む書込み処理、および前記記録媒体に記録された情報を読み込む読込処理のうち少なくともいずれか一方の処理を実施するピックアップ装置を移動可能に保持する長手棒状のシャフトと、
前記ピックアップ装置から前記保持手段に保持された前記記録媒体に向かうフォーカス方向に前記シャフトを案内する案内部と、
前記シャフトの軸方向および前記フォーカス方向に略直交する方向に移動可能であり、前記フォーカス方向に交差する方向に傾斜するとともに前記シャフトの周面に当接するシャフト当接面と、前記フォーカス方向に交差する方向に傾斜する調整面とを有するスライダと、
前記フォーカス方向に移動可能であり、前記スライダの調整面に当接するスライダ移動部材と、
前記シャフトを前記シャフト当接面に近接する側に付勢する付勢手段と、
を具備し、
前記フォーカス方向と前記シャフト当接面とがなす外角は、前記フォーカス方向と前記調整面とがなす外角よりも大きい
ことを特徴としたピックアップ保持装置。
【請求項２】
請求項１に記載のピックアップ保持装置であって、
前記スライダは、前記フォーカス方向と前記シャフト当接面とがなす外角が４５度以上の状態に形成された
ことを特徴としたピックアップ保持装置。
【請求項３】
請求項１または請求項２に記載のピックアップ保持装置であって、
前記スライダは、前記フォーカス方向と前記調整面とがなす外角が４５度以下の状態に形成された
ことを特徴としたピックアップ保持装置。
【請求項４】
請求項１ないし請求項３のいずれかに記載のピックアップ保持装置であって、
前記付勢手段は、平面が前記シャフトの移動方向に略直交する板ばねである
ことを特徴としたピックアップ保持装置。
【請求項５】
請求項１ないし請求項４のいずれかに記載のピックアップ保持装置であって、
前記スライダ移動部材は、ねじである
ことを特徴としたピックアップ保持装置。
【請求項６】
請求項１ないし請求項５のいずれかに記載のピックアップ保持装置であって、
長手略板状に形成されて、長手一端側に前記保持手段が設けられるとともに、前記保持手段が設けられる一端側が前記フォーカス方向に対して進退自在に保持される台座部を備え、
前記シャフトは、軸方向が前記台座部の長手方向と略平行して設けられるとともに、一端側が前記台座部の近傍に位置する状態に設けられ、
前記案内部、前記スライダ、前記スライダ移動部材、および前記付勢手段は、前記シャフトの前記台座部側の端部近傍に設けられた
ことを特徴としたピックアップ保持装置。
【請求項７】
請求項１ないし請求項６のいずれかに記載のピックアップ保持装置と、
前記記録媒体を保持する保持手段と、
前記ピックアップ保持装置に移動可能に保持されるとともに、前記保持手段に保持された前記記録媒体に情報を書き込む書込み処理、および前記記録媒体に記録された情報を読み込む読込処理のうち少なくともいずれか一方の処理を実施するピックアップ装置と、
前記ピックアップ保持装置、前記保持手段、および前記ピックアップ装置を内部に収納するとともに、前記記録媒体を内外に出し入れ可能な開口部を備えたケース体と、
を具備したことを特徴としたディスク装置。
【発明の詳細な説明】
【技術分野】
【０００１】
本発明は、記録媒体に所定の処理を実施するピックアップを保持するピックアップ保持装置、およびディスク装置に関する。
【背景技術】
【０００２】
従来、所定位置に保持された光ディスクの径方向に沿って移動可能に設けられ、この光ディスクに情報を記録する記録処理や光ディスクの情報を読み込む読込処理などの情報処理を実施するピックアップ機構を備えたディスク装置が知られている（例えば、特許文献１参照）。【０００３】
この特許文献１に記載のものは、光ディスクを載置するディスクテーブルと、ディスクテーブルに載置された光ディスクに対して情報信号の記録又は再生を行う光ピックアップ装置と、ディスクテーブルを一体的に形成されるベースシャーシと、を有する光ピックアップユニットを備えた記録再生装置である。この記録再生装置では、ベースシャーシを構成するフレームに、光ピックアップ装置を支持する一対のガイド軸が設けられている。これらのガイド軸は、両端部が胴体部分よりも細く形成され、この両端部がフレームに設けられるスキュー調整機構に支持されている。
このスキュー調整機構は、ベースシャーシの上面部および下面部間に配設されるハウジングと、ハウジング内に設けられてガイド軸の端部の上面側に当接する弾性部材と、ベースシャーシの下面に設けられたねじ穴から挿通され、ガイド軸を弾性部材と反対側から押圧する調整ねじとを備えている。
そして、この記録再生装置では、スキュー調整機構において、ベースシャーシの下面側に穿設されたねじ穴から調整ねじを挿通し、調整ねじのハウジング内への突出長さを調整することでガイド軸の傾きや高さを調節する構成が採られている。【０００４】
【特許文献１】特開平２００４−２３４７９８号公報（第１１頁ないし第１３頁、図９ないし図１１参照）
【発明の開示】
【発明が解決しようとする課題】
【０００５】
ところで、上記特許文献１に記載のような従来の記録再生装置におけるスキュー調整機構では、調整ねじのハウジング内への突出長さを変更すると、この突出長さだけガイド軸の高さ位置が変化する。すなわち、調整ねじの調整回転角度に対するガイド軸の移動量が大きくなるため、ガイド軸の調整精度が低下するおそれがあるという問題が一例として挙げられる。【０００６】
本発明は、上記のような問題に鑑みて、適切にピックアップを保持するピックアップ装置、およびディスク装置を提供することを一つの目的とする。
【課題を解決するための手段】
【０００７】
本発明のピックアップ保持装置は、記録媒体を保持する保持手段に保持された前記記録媒体に情報を書き込む書込み処理、および前記記録媒体に記録された情報を読み込む読込処理のうち少なくともいずれか一方の処理を実施するピックアップ装置を移動可能に保持する長手棒状のシャフトと、前記ピックアップ装置から前記保持手段に保持された前記記録媒体に向かうフォーカス方向に前記シャフトを案内する案内部と、前記シャフトの軸方向および前記フォーカス方向に略直交する方向に移動可能であり、前記フォーカス方向に交差する方向に傾斜するとともに前記シャフトの周面に当接するシャフト当接面と、前記フォーカス方向に交差する方向に傾斜する調整面とを有するスライダと、前記フォーカス方向に移動可能であり、前記スライダの調整面に当接するスライダ移動部材と、前記シャフトを前記シャフト当接面に近接する側に付勢する付勢手段と、を具備し、前記フォーカス方向と前記シャフト当接面とがなす外角は、前記フォーカス方向と前記調整面とがなす外角よりも大きいことを特徴とする。【０００８】
そして、本発明のディスク装置は、上述したようなピックアップ保持装置と、前記記録媒体を保持する保持手段と、前記ピックアップ保持装置に移動可能に保持されるとともに、前記保持手段に保持された前記記録媒体に情報を書き込む書込み処理、および前記記録媒体に記録された情報を読み込む読込処理のうち少なくともいずれか一方の処理を実施するピックアップ装置と、前記ピックアップ保持装置、前記保持手段、および前記ピックアップ装置を内部に収納するとともに、前記記録媒体を内外に出し入れ可能な開口部を備えたケース体と、を具備したことを特徴とする。
【図面の簡単な説明】
【０００９】
【図１】本発明の一実施形態に係るディスク装置の概略を示す平面図である。
【図２】前記実施形態におけるディスク装置のディスク処理部を底面側から見た平面図である。
【図３】前記実施形態のディスク処理部のシャフトの端部近傍の拡大平面図である。
【図４】前記実施形態のディスク処理部のシャフトの端部近傍の拡大左側面図である。
【図５】前記実施形態のディスク処理部のシャフトの端部近傍の拡大右側面図である。
【図６】前記実施形態のディスク処理部のシャフトの端部近傍の拡大背面図である。
【図７】前記実施形態のスライダにおけるシャフト当接面および調整面の近傍における断面図である。
【符号の説明】
【００１０】
１００    …ディスク装置
１１０    …ケース体
２００    …ピックアップ保持装置としてのトラバースメカ
２１０    …台座部
２１４    …案内部としての案内片
２２１    …保持手段としてのターンテーブル
２４０    …ピックアップ装置
２３１Ａ、２３１Ｂ…シャフトとしてのガイドシャフト
３１２    …付勢手段としての板ばね
３２０    …スライダ
３２３    …突出板部
３２３Ａ  …シャフト当接面
３２３Ｂ  …調整面
３３０    …スライダ移動部材としての調整ねじ
３３１    …ねじ軸
３３２    …頭部
【発明を実施するための最良の形態】
【００１１】
以下、本発明に係る一実施形態に係るディスク装置を図面に基づいて説明する。【００１２】
〔ディスク装置の構成〕
図１は、本発明の実施形態に係るディスク装置の概略を示す平面図である。図２は、前記実施形態におけるディスク装置のディスク処理部を底面側から見た平面図である。図３は、前記実施形態のディスク処理部のシャフトの端部近傍の拡大平面図である。図４は、前記実施形態のディスク処理部のシャフトの端部近傍の拡大左側面図である。図５は、前記実施形態のディスク処理部のシャフトの端部近傍の拡大右側面図である。図６は、前記実施形態のディスク処理部のシャフトの端部近傍の拡大背面図である。図７は、前記実施形態のスライダにおけるシャフト当接面および調整面の近傍における断面図である。【００１３】
図１において、１００は、本発明の一実施形態にかかるディスク装置である。このディスク装置１００は、例えばノート型のパーソナルコンピュータなどの携帯型の電気機器や、車両などに搭載される電気機器などに装着される、いわゆるセルフチャック機構のスリムディスク装置（あるいはスリムディスクドライブ）と称されるものである。なお、ディスク装置としては、スリムディスクドライブを例示するが、例えばデスクトップ型パーソナルコンピュータなどに搭載される所定高さ寸法を有するディスクドライブなどにも適用することができる。【００１４】
このディスク装置１００は、記録媒体における少なくとも一面に設けられた記録面に記録された情報を読み込む読込処理、および記録面へ各種情報を記録する記録処理のうち少なくとも一方の処理をする。ここで、この記録媒体としては、例えば、ＣＤ(Compact Disc)やＤＶＤ(Digital Versatile Disc)あるいはＢＤ（Blu-ray Disc：ブルーレイディスク）またはＨＤ−ＤＶＤ（High Definition DVD）などの光ディスク、光磁気ディスク、磁気ディスク、あるいは、これらを貼り合わせた複合ディスク、カートリッジなどにこれらのディスクを格納したカートリッジタイプの記録媒体などの各種構成を例示することができる。【００１５】
そして、ディスク装置１００は、例えば金属製で内部空間を有し一側面に図示しない挿排口が設けられた略四角箱状のケース体１１０を有している。また、ケース体１１０内には、トレイ部１２０と、このトレイ部１２０をケース体１１０の開口を介して進退させる搬送手段１３０と、ディスク装置１００全体の動作を制御する図示しない制御回路部と、が配設されている。【００１６】
トレイ部１２０は、トレイ１２１と、化粧板１２２と、を備えている。
トレイ１２１は、例えば合成樹脂などにて略板状に形成されている。そして、トレイ１２１には、略中央部に装着開口１２１Ａが開口形成されている。
化粧板１２２は、トレイ１２１の一縁に設けられ、搬送手段１３０にてケース体１１０内に後退された状態でケース体１１０の開口を閉塞する合成樹脂などにて細長板状に形成されている。
そして、トレイ部１２０には、トレイ１２１の装着開口１２１Ａに一部が臨む状態にピックアップ保持装置としてのトラバースメカ２００が配設されている。【００１７】
搬送手段１３０は、ケース体１１０内に配設された図示しないガイドレールと、図示しない付勢部材と、図示しない付勢解除手段と、などを備えている。
ガイドレールは、トレイ部１２０の開口を介した進退方向に沿って配設され、トレイ部１２０の進退移動を案内誘導する。【００１８】
付勢部材は、例えばばね部材などで、トレイ部１２０がケース体１１０内に後退された状態で弾性変形され、弾性変形による復元力をトレイ部１２０が開口を介して進出する状態に作用させる。【００１９】
付勢解除手段は、トレイ部１２０がケース体１１０内に後退されて化粧板１２２が開口を閉塞した状態でトレイ部１２０に設けられた図示しない係脱手段に係合する。そして、付勢解除手段は、例えば化粧板１２２に配設されたイジェクトボタンの操作など、トレイ部１２０の進出要求に応じて係脱手段の係合状態を解除する。【００２０】
トレイ部１２０に配設されたトラバースメカ２００は、台座部２１０を備えている。この台座部２１０は、トレイ部１２０の化粧板１２２側の一端部からトレイ部１２０の略中心部に向かって長手略板枠状に形成されている。
この台座部２１０には、長手一端側となるトレイ部１２０の中心近傍に位置する周縁近傍に、ディスク回転駆動手段２２０が配設されている。また、図２に示すように、台座部２１０の長手他端側、すなわち、長手方向に沿う側縁２１１Ａの化粧板１２２近傍、および側縁２１１Ｂのトレイ部１２０の側面部１２０Ａ側近傍には、それぞれ外方に突出する台座支持部２１２が突出している。さらに、台座部２１０のディスク回転駆動手段２２０が配設される一端側近傍にも、台座支持部２１３が突出形成されている。【００２１】
これらの台座支持部２１２，２１３は、それぞれトレイ部１２０の図示しない底面に、弾性を有するフロートゴムを介して接続されている。これにより、台座部２１０は、ディスク回転駆動手段２２０が設けられる一端側が、トレイ部１２０のトレイ１２１の面方向に略直交する方向に進退可能に保持されている。【００２２】
ディスク回転駆動手段２２０は、スピンドルモータである図示しない回転用電動モータと、図１に示すように、この回転用電動モータの出力軸に一体的に設けられた略円盤状の保持手段としてのターンテーブル２２１と、を備えている。
ターンテーブル２２１は、略円柱状の軸支部２２１Ａと、この軸支部２２１Ａの軸方向の一端部に外方に向けて鍔状に一体に突設された鍔部２２１Ｂと、を備えている。そして、軸支部２２１Ａは、光ディスクの略中心位置に形成された装着孔の内径と略同径もしくは若干径小の外径に形成されている。【００２３】
また、台座部２１０には、図２および図７に示すように、処理移動手段２３０と、後述する調整ねじ３３０が天面方向に移動した際にねじ軸３３１が挿通可能なねじ挿通孔が設けられている。
処理移動手段２３０は、軸方向が略平行に配設された一対のガイドシャフト２３１Ａ，２３１Ｂと、例えばステッピングモータである移動用電動モータ２３２と、を備えている。【００２４】
ガイドシャフト２３１Ａ，２３１Ｂは、台座部２１０の長手方向に沿って、すなわち化粧板１２２の一端側からディスク回転駆動手段２２０が配設されるトレイ部１２０の略中央位置に向かって配設されている。
ガイドシャフト２３１Ａの両端部、およびガイドシャフト２３１Ｂの化粧板１２２に近接する端部には、第一シャフト調整部２３１Ｃが設けられている。【００２５】
これらの第一シャフト調整部２３１Ｃは、例えば台座部２１０の底面側にシャフト押え板２３１Ｃ１を固定し、このシャフト押え板２３１Ｃ１と台座部２１０とによりガイドシャフト２３１Ａ，２３１Ｂの端部を挟持させる。そして、シャフト押え板２３１Ｃ１は、調節ねじを挿通可能な挿通孔を備え、この挿通孔から調節ねじを挿通させ、調節ねじの先端部でガイドシャフト２３１Ａ、２３１Ｂの周面を台座部２１０の天面側に押圧してガイドシャフト２３１Ａ，２３１Ｂのスキュー高さが調節可能となっている。また、台座部２１０とガイドシャフト２３１Ａ，２３１Ｂのとの間には、図示しないばね部材が設けられており、ガイドシャフト２３１Ａ，２３１Ｂは、調節ねじ側に付勢されて調節時のガタなどが防止される構成となっている。【００２６】
また、ガイドシャフト２３１Ｂのディスク回転駆動手段２２０に近接する側の端部には、図３ないし図７に示すような第二シャフト調整部３００が設けられている。
そして、この第二シャフト調整部３００は、案内部としての案内片２１４と、スライダ取付金具３１０と、スライダ３２０と、を備えている。【００２７】
案内片２１４は、図３に示すように、台座部２１０の底面から突出する状態に、台座部２１０に一体形成されている。具体的には、案内片２１４は、ガイドシャフト２３１Ｂの軸方向に沿うとともに、面方向が台座部２１０の底面と略直交する状態に形成されている。そして、この案内片２１４のガイドシャフト２３１Ｂとの対向面はガイドシャフト２３１Ｂの周面と当接している。これにより、案内片２１４は、ガイドシャフト２３１Ｂのフォーカス方向、すなわち台座部２１０の面方向と略直交する方向への移動を案内している。なお、案内片２１４が台座部２１０に一体形成される構成に限らず、例えば、台座部２１０の底面側にねじ止めなどの各種固定法により案内片２１４が固定される構成などとしてもよい。【００２８】
スライダ取付金具３１０は、台座部２１０の底面に沿う長方形平板状の基部３１０Ａを備えている。この基部３１０Ａには、台座部２１０の底面側に固定される固定部３１１が設けられている。固定部３１１には、取付孔部が設けられ、この取付孔部にねじが挿通されて台座部２１０の底面に螺合されることにより、固定部３１１が台座部２１０に固定されている。なお、スライダ取付金具３１０は、ねじ止めに限らず、例えば溶接、接着材による接着など、その他の固定方法で台座部２１０に固定される構成としてもよく、台座部２１０と一体形成されたものであってもよい。【００２９】
また、スライダ取付金具３１０の基部３１０Ａには、ガイドシャフト２３１Ｂの軸方向に沿って、ガイドシャフト２３１Ｂと台座部２１０との間に配設される付勢手段としての板ばね３１２が一体形成されている。そして、この板ばね３１２は、ガイドシャフト２３１Ｂを台座部２１０側から離隔する方向に付勢している。なお、板ばね３１２は、スライダ取付金具３１０に一体形成される構成に限られず、例えばスライダ取付金具３１０に一体的に固定される構成としてもよく、台座部２１０に固定される構成、台座部２１０と一体形成される構成などとしてもよい。【００３０】
さらに、スライダ取付金具３１０は、図４に示すように、基部３１０Ａにおける長手方向の側縁から立ち上がって形成される長方形平板状の立上部３１３を備えている。この立上部３１３には、長手方向の側縁におけるガイドシャフト２３１Ｂに近接する端部に、台座部２１０の側縁２１１Ｂ側に向かって突出するスライダ保持片３１３Ａが設けられている。このスライダ保持片３１３Ａは、面方向が台座部２１０の底面と略平行となる状態に形成されている。【００３１】
また、このスライダ保持片３１３Ａには、図７に示すように、ねじ固定孔３１３Ｂが設けられ、このねじ固定孔３１３Ｂに後述する調整ねじ３３０が保持されている。
さらに、スライダ保持片３１３Ａには、図３に示すように、側縁部において台座部２１０の底面から離れる方向に突出した略板状の軸保持部３１３Ｃが一連に一対設けられている。これら軸保持部３１３Ｃは、面方向がガイドシャフト２３１Ｂの軸方向と略直交するとともに、台座部２１０の底面と略直交する状態に形成されている。また、軸保持部３１３Ｃには、略中央から台座部２１０の側縁２１１Ｂ側に向かって軸用切欠部３１３Ｃ１が形成されており、後述する支持軸３２４の移動経路に対応している。そして、これら軸保持部３１３Ｃは、軸用切欠部３１３Ｃ１において支持軸３２４を保持する。【００３２】
また、ディスク回転駆動手段２２０から離隔する側の軸保持部３１３Ｃは、先端部に略垂直でガイドシャフト２３１Ｂの軸方向と略平行に一連に折り曲がり形成された天板部３１４が設けられている。そして、天板部３１４には、側縁部において台座部２１０の底面に略直交する状態に側板部３１５が一連に設けられている。また、側板部３１５の台座部２１０に近接する側の側縁には、底面に沿う略板状で台座部２１０の底面側に固定される取付部３１６が一連に設けられている。この取付部３１６には、取付孔部が設けられ、この取付孔部にねじが挿通されて台座部２１０の底面に螺合されることにより、取付部３１６が台座部２１０に固定されている。なお、取付部３１６は、ねじ止めに限らず、例えば溶接、接着材による接着など、その他の固定方法で台座部２１０に固定される構成としてもよく、台座部２１０と一体形成されたものであってもよい。【００３３】
また、スライダ保持片３１３Ａには、図３に示すように、案内片２１４の平面方向と略直交する方向に移動可能なスライダ３２０が設けられている。このスライダ３２０は、摺動板部３２１と、側板部３２２と、突出板部３２３と、支持軸３２４とを有している。【００３４】
摺動板部３２１は、平面がスライダ保持片３１３Ａの平面に沿っている。そして、摺動板部３２１の略中央には、調整用切欠部３２１Ａが設けられており、摺動板部３２１は、後述する調整ねじ３３０により調整用切欠部３２１Ａを介して、スライダ保持片３１３Ａに保持される。そして、調整用切欠部３２１Ａは、ガイドシャフト２３１Ｂの軸方向と略平行となる幅寸法が後述する調整ねじ３３０のねじ軸３３１の径よりも大きい状態に形成されている。また、調整用切欠部３２１Ａは、摺動板部３２１の略中央からスライド方向に長手状に形成されている。そして、調整用切欠部３２１Ａは、調整ねじ３３０をねじ固定孔３１３Ｂに螺合した状態でスライダ３２０が移動可能に設けられている。【００３５】
側板部３２２は、平面が軸保持部３１３Ｃの平面方向と略平行に摺動板部３２１の両側縁にそれぞれ一連に設けられている。これら側板部３２２の対向方向である間隙幅は、後述する調整ねじ３３０における頭部３３２の径よりも大きい寸法で形成されている。【００３６】
また、突出板部３２３は、摺動板部３２１の端縁からガイドシャフト２３１Ｂに近接する方向に突出して設けられている。
この突出板部３２３は、略中央においてガイドシャフト２３１Ｂの周面と当接するシャフト当接面３２３Ａと、シャフト当接面３２３Ａと反対側の面であり、後述する調整ねじ３３０の頭部３３２の外周と当接する調整面３２３Ｂとを有している。【００３７】
シャフト当接面３２３Ａは、突出板部３２３の端縁からガイドシャフト２３１Ｂの中心位置に向かうにしたがって、台座部２１０に近接する位置から台座部２１０から離れる方向、すなわちフォーカス方向に傾斜している。そして、シャフト当接面３２３Ａは、ガイドシャフト２３１Ｂの周面と当接することにより、ガイドシャフト２３１Ｂのフォーカス方向への移動を規制している。
また、調整面３２３Ｂも同様に、突出板部３２３の端部からガイドシャフト２３１Ｂの中心位置に向かうにしたがって、フォーカス方向に傾斜している。【００３８】
そして、シャフト当接面３２３Ａは、フォーカス方向とがなす外角αが、調整面３２３Ｂと、フォーカス方向とがなす外角βよりも大きくなる状態に形成されている。具体的には、図７に示すように、この実施例では外角αの大きさは約４５度よりも大きく、外角βの大きさは、４５度よりも小さい状態に形成されている。【００３９】
支持軸３２４は、側板部３２２の平面の略中央に位置してそれぞれ外方に突出して設けられている。そして、これら支持軸３２４は、上述したように、軸保持部３１３Ｃの軸用切欠部３１３Ｃ１に係合された状態で、スライダ３２０が移動可能に設けられている。【００４０】
スライダ３２０には、摺動板部３２１と、一対の側板部３２２と、突出板部３２３の調整面３２３Ｂとにより収容空間３２５が区画形成されており、この収容空間３２５には、調整ねじ３３０が設けられている。そして、この調整ねじ３３０は、ねじ軸３３１と、頭部３３２とを有している。【００４１】
ねじ軸３３１には、雄ねじ部が螺旋形成されている。そして、このねじ軸３３１には、台座部２１０の底面から離れる端部にねじ軸３３１より径大となる略円盤状の頭部３３２が一体形成されている。つまり、調整ねじ３３０は、台座部２１０の底面に向かってねじ固定孔３１３Ｂに螺合される。この頭部３３２は、上述したように、外周縁の一端点が調整面３２３Ｂの傾斜面の一点に当接している。そして、この調整ねじ３３０のねじ固定孔３１３Ｂへの螺合状態を調整することにより、頭部３３２と調整面３２３Ｂとの当接点が移動し、スライダ３２０は、所定方向に移動されて所定移動位置に位置決めされる。【００４２】
例えば、調整ねじ３３０がねじ固定孔３１３Ｂに没入されると、頭部３３２がスライダ３２０の調整面３２３Ｂを台座部２１０側に押圧するため、スライダ３２０は、案内片２１４に近接する方向に移動する。そして、シャフト当接面３２３Ａに当接しているガイドシャフト２３１Ｂは、台座部２１０の底面に近接する方向に移動する。
また、例えば、調整ねじ３３０をねじ固定孔３１３Ｂから引き抜くと、頭部３３２が台座部２１０の底面から離れる方向に移動する。この時、スライダ３２０は、案内片２１４から離れる方向に移動するため、ガイドシャフト２３１Ｂは、底面から離れる方向に移動する。【００４３】
図１および図２に戻って、台座部２１０に設けられる移動用電動モータの図示しない出力軸には、外周面に螺旋状の図示しない係合溝が設けられたリードスクリュが同軸上に一体に連結されている。【００４４】
さらに、台座部２１０には、処理移動手段２３０の一対のガイドシャフト２３１Ａ，２３１Ｂに支持されたピックアップ装置２４０が配設されている。
このピックアップ装置２４０は、一対のガイドシャフト間に架橋する状態で保持される移動保持部２４１を備えている。この移動保持部２４１には、ガイドシャフトを移動可能に嵌挿する図示しない保持部と、移動用電動モータの出力軸に連結されたリードスクリュの係合溝に係合する図示しない移動規制爪部と、を備えている。そして、ピックアップ装置２４０は、例えば図示しないフレキシブル回路により制御回路部に電気的に接続されている。【００４５】
また、このピックアップ装置２４０は、図示しない光源と、この光源からの光を収束するレンズ２５１と、光ディスクで反射された出射光を検出する図示しない光センサとを有する光ピックアップ２５０を備えている。この光ピックアップ２５０は、ピックアップ装置２４０に接続されるフレキシブル回路に電気的に接続され、このフレキシブル回路を介して制御回路部に接続されている。そして、光ピックアップ２５０は、制御回路部の制御により、光ディスクの記録面に記録された各種情報を読み取って出力回路部へ出力する読取処理や、制御回路部からの各種情報を記録面に記録する記録処理を実施する。【００４６】
そして、台座部２１０の上面側には、図１に示すように、カバー部材としてのＴＭカバー部材４００が設けられている。
このＴＭカバー部材４００は、例えばアルミなどの軽量金属により形成され、トラバー スメカ２００のディスク回転駆動手段２２０の回転用電動モータ、処理移動手段２３０、ピックアップ装置２４０の一部、フレキシブル回路を覆う状態に台座部２１０に固定されている。そして、このＴＭカバー部材４００は、フレキシブル回路の光ディスク側への突出や、光ディスクのピックアップ装置２４０への接触などを防止する。【００４７】
そして、ＴＭカバー部材４００は、ピックアップ装置２４０の光ピックアップ２５０の移動経路、すなわちターンテーブル２２１の径方向に沿って処理開口部４０１が設けられている。この処理開口部４０１により、光ピックアップ２５０のレンズ２５１が光ディスクの記録面に対向し、記録面に所定波長の光を射出可能となっている。【００４８】
〔ディスク装置の動作〕
次に、上記ディスク装置１００の動作におけるピックアップ装置のスキュー高さ調整動作について説明する。【００４９】
上記のようなディスク装置１００では、ピックアップ装置２４０は、ターンテーブル２２１に保持された光ディスクに所定波長の光を射出し、光ディスクの記録面にて反射された反射光を光センサで受光する。このようなディスク装置１００では、ピックアップ装置２４０から射出される光の光軸が僅かにずれると、例えば正常に光ディスクの記録面に情報を書き込む書込み処理ができなかったり、光ディスクの記録面にて反射される反射光が正常に光センサで受光でなかったりする不都合が発生する。このため、ディスク装置１００の組立工程において、ピックアップ装置２４０の位置を調整する、いわゆるスキュー高さ調整動作が必要となる。【００５０】
このスキュー高さ調整動作では、まず、台座部２１０に一対のガイドシャフト２３１Ａ，２３１Ｂを配設する。そして、これらのガイドシャフト２３１Ａの両端部、およびガイドシャフト２３１Ｂのディスク回転駆動手段２２０から離隔する一端側の第一シャフト調整部２３１Ｃの調整ねじを適宜調整し、所定スキュー高さ寸法に設定する。【００５１】
次に、第二シャフト調整部３００にてガイドシャフト２３１Ｂのスキュー高さを調整する。
具体的には、第二シャフト調整部３００の調整ねじ３３０をねじ固定孔３１３Ｂに螺合させ、調整ねじ３３０を台座部２１０に対してフォーカス方向に進退させる。
この調整ねじ３３０の進退により、調整ねじ３３０の頭部３３２の外周縁がスライダ３２０の調整面３２３Ｂに当接し、スライダ３２０は、案内片２１４の平面方向に対して略直交する方向に移動する。スライダ３２０が移動すると、シャフト当接面３２３Ａに当接したガイドシャフト２３１Ｂがフォーカス方向に移動する。つまり、ガイドシャフト２３１Ｂのフォーカス方向の高さであるスキュー高さが変位する。【００５２】
例えば、調整ねじ３３０をねじ固定孔３１３Ｂに没入させると、スライダ３２０の調整面３２３Ｂが頭部３３２に押されるため、スライダ３２０が案内片２１４に近接する方向に移動する。これにより、シャフト当接面３２３Ａにおける、ガイドシャフト２３１Ｂとの当接点が台座部２１０の底面に近接する方向に移動する。そして、ガイドシャフト２３１Ｂは、案内片２１４に沿って台座部２１０側に押し下げられて、ガイドシャフト２３１Ｂのスキュー高さ位置が設定される。【００５３】
一方、調整ねじ３３０をねじ固定孔３１３Ｂから引き抜くと、スライダ３２０の調整面３２３Ｂから頭部３３２が離れる。この際、ガイドシャフト２３１Ｂは、板ばね３１２によりシャフト当接面３２３Ａ側に付勢されているため、スライダ３２０を案内片２１４から離れる方向に押して移動させる。そして、調整面３２３Ｂは、再び調整ねじ３３０の頭部３３２に当接する。これにより、ガイドシャフト２３１Ｂのフォーカス方向への移動が規制され、スキュー高さ位置が設定される。【００５４】
ここで、シャフト当接面３２３Ａは、ガイドシャフト２３１Ｂの移動方向となす外角αが、調整面３２３Ｂとガイドシャフト２３１Ｂとのなす外角βよりも大きくなる状態に形成されているため、調整ねじ３３０のねじ固定孔３１３Ｂへの挿入量に比べてガイドシャフト２３１Ｂの移動量が小さくなる。したがって、ガイドシャフト２３１Ｂのスキュー高さを微調整することが可能となる。【００５５】
〔実施形態のディスク装置の作用効果〕
上述したように、上記第一実施形態のディスク装置１００では、トラバースメカ２００は、ピックアップ装置２４０を移動可能に保持するガイドシャフト２３１Ｂと、ガイドシャフト２３１Ｂのフォーカス方向への移動を案内する案内片２１４と、案内片２１４の平面方向と略直交する方向に移動するスライダ３２０と、スライダ３２０の調整面３２３Ｂに当接し、フォーカス方向に移動可能な調整ねじ３３０と、ガイドシャフト２３１Ｂを台座部２１０から離れる方向に付勢する板ばね３１２と、を備えている。また、スライダ３２０には、ガイドシャフト２３１Ｂの中心位置に向かうにしたがって、フォーカス方向に傾斜する突出板部３２３が設けられている。この突出板部３２３には、ガイドシャフト２３１Ｂの周面と当接するシャフト当接面３２３Ａと、シャフト当接面３２３Ａの反対側の面であり、調整ねじ３３０の頭部３３２の外周と当接する調整面３２３Ｂが設けられている。そして、スライダ３２０のシャフト当接面３２３Ａは、フォーカス方向とがなす外角αが、調整面３２３Ｂとフォーカス方向とがなす外角βよりも大きくなる状態に形成されている。
このため、スライダ３２０の移動による、ガイドシャフト２３１Ｂとシャフト当接面３２３Ａとの当接点の移動量は、調整ねじ３３０と調整面３２３Ｂとの当接点が移動する移動量と同じであるものの、調整ねじ３３０のフォーカス方向の移動量に比べて、ガイドシャフト２３１Ｂのフォーカス方向への調整量を小さくすることができる。よって、調整ねじ３３０の移動量がガイドシャフト２３１Ｂの移動量となる従来の構成に比べて、より精密に、かつ容易にガイドシャフト２３１Ｂの移動量を調整することができ、ガイドシャフト２３１Ｂのスキュー高さを高精度に調整することができる。これにより、ピックアップ装置２４０を適切な位置で保持することができる。また、例えばＤＶＤ、ＢＤ、ＨＤ-ＤＶＤなどの光ディスクを情報処理するディスク装置１００では、精密な光軸設定が必要となるが、上記構成により、適切な位置に高精度にピックアップ装置２４０のスキュー高さを調整することができ、ピックアップ装置２４０により良好な情報処理を実施することができる。【００５６】
また、スライダ３２０は、案内片２１４の平面方向と略直交する方向に移動するため、フォーカス方向に変位しない。そして、調整ねじ３３０の頭部３３２は、調整面３２３Ｂに当接するため、スライダ３２０の突出板部３２３の先端部よりも台座部２１０側に位置する。
このため、第二シャフト調整部３００の厚み寸法、すなわちフォーカス方向の長さ寸法が変位しないため、例えば調整ねじ３３０の突出寸法に対応したスペースが不要であるため、トラバースメカ２００の厚み寸法を小さくすることができる。
特に、上記実施形態のような、ディスク回転駆動手段２２０が設けられる台座部２１０の一端側がフォーカス方向に移動可能に設けられているディスク装置１００では、第二シャフト調整部３００の厚み寸法が増大すると、トレイ部１２０のトレイ底部や、ケース体１１０に接触するなどの不都合があり、接触を回避するスペースを設ける必要がある。これに対して、上記構成により、第二シャフト調整部３００のフォーカス方向の厚み寸法が変化せず、厚み寸法の増大も抑えることができるので、上記のようなスペースを不要にでき、ディスク装置１００の小型化を図ることができる。【００５７】
また、シャフト当接面３２３Ａおよび調整面３２３Ｂは、案内片２１４の平面方向と略直交する方向に移動する。また、調整ねじ３３０は、ガイドシャフト２３１Ｂよりも側縁２１１Ｂ側に設けられている。このため、第二シャフト調整部３００の台座部２１０の面方向におけるガイドシャフト２３１Ｂの軸方向の寸法を小さくすることができ、より良好に小型化に対応することができる。【００５８】
また、スライダ３２０のシャフト当接面３２３Ａは、フォーカス方向となす外角αが、４５度よりも大きく形成されている。
このため、シャフト当接面３２３Ａは、調整ねじ３３０のフォーカス方向の移動量に対して、ガイドシャフト２３１Ｂのフォーカス方向の移動量を小さくでき、適切な位置に高精度にピックアップ装置２４０のスキュー高さを調節することができる。【００５９】
また、スライダ３２０の調整面３２３Ｂは、フォーカス方向となす外角βが、４５度よりも小さい状態に形成されている。
このため、調整面３２３Ｂは、調整ねじ３３０のフォーカス方向の移動量に対して、スライダ３２０の移動量を小さくできる。【００６０】
また、板ばね３１２は、平面方向がガイドシャフト２３１Ｂの移動方向と略直交している。
このため、板ばね３１２により付勢する方向と、ガイドシャフト２３１Ｂの移動方向とが同一となり、ガイドシャフト２３１Ｂを移動させやすく、適切な位置に高精度にピックアップ装置２４０のスキュー高さを調節しやすくなる。【００６１】
また、回動調整手段として、雄ねじ山が螺旋形成されたねじ軸３３１の端部に略円盤状の頭部３３２が形成された調整ねじ３３０を用いている。このため、調整ねじ３３０として、例えば一般的なビス部材を利用することができ、第二シャフト調整部３００の構成を簡単にできる。【００６２】
さらに、案内片２１４は、台座部２１０に一体形成されている。
このため、ガイドシャフト２３１Ｂのフォーカス方向への移動を案内する案内部材を別途用意する必要がなく、より簡単で高精度な構成とすることができる。【００６３】
突出板部３２３は、摺動板部３２１の側縁において、ガイドシャフト２３１Ｂの中心位置に向かうにしたがって、台座部２１０の底面に近接する位置から台座部２１０の底面から離れる位置に向かって突出する形状に形成されている。
このため、ガイドシャフト２３１Ｂにおける台座部２１０と反対側の周端面近傍に、この突出板部３２３の突出先端部が配置され、ガイドシャフト２３１Ｂの抜け落ちなどを防止することができる。【００６４】
また、板ばね３１２はスライダ取付金具３１０に一体形成されている。このため、板ばね３１２を別途用意する必要がなく、部品点数を少なくすることができ、構成を簡単にすることができる。【００６５】
また、第二シャフト調整部３００は、ガイドシャフト２３１Ｂのターンテーブル２２１の端部近傍に設けられている。
一般に、ディスク回転駆動手段２２０が設けられる台座部２１０の一端側がフォーカス方向に移動可能に設けられているディスク装置１００では、第二シャフト調整部３００の厚み寸法が増大すると、トレイ部１２０のトレイ底部や、ケース体１１０に接触するなどの不都合があり、接触を回避するスペースを設ける必要がある。これに対して、上記構成により、第二シャフト調整部３００のフォーカス方向の厚み寸法が変化せず、厚み寸法の増大も抑えることができるので、上記のようなスペースを不要にでき、ディスク装置１００の小型化を図ることができる。【００６６】
また、スライダ３２０は、摺動板部３２１と、側板部３２２と、調整面３２３Ｂとに囲まれる収容空間３２５を備え、調整ねじ３３０は、この収容空間３２５に設けられている。
このため、トラバースメカ２００を設ける際、スライダ３２０の内側に調整ねじ３３０を設けることができるので、第二シャフト調整部３００の台座部２１０の面方向におけるガイドシャフト２３１Ｂに略直交する幅方向の寸法を小さくすることができ、より良好に小型化に対応することができる。【００６７】
また、支持軸３２４は、軸保持部３１３Ｃの軸用切欠部３１３Ｃ１に係合され、それぞれ移動可能に保持されている。そして、調整用切欠部３２１Ａは、略中央からスライド方向に長手状に形成されているとともに、調整ねじ３３０をねじ固定孔３１３Ｂに螺合した状態でスライダ３２０が移動可能に設けられている。
このため、スライダ３２０の移動方向は、案内片２１４の平面方向と略直交する方向に規制され、適切な位置に高精度にピックアップ装置２４０のスキュー高さを調整しやすくなり、ピックアップ装置２４０により良好な情報処理を実施することができる。【００６８】
〔他の実施の形態〕
なお、本発明は、上述した各実施の形態に限定されるものではなく、本発明の目的を達成できる範囲で以下に示される変形をも含むものである。【００６９】
例えば、上記実施形態では、ディスク装置１００として、いわゆるスリムドライブタイプのディスク装置１００を例示したが、これに限られず、例えば前記したように、デスクトップ型パーソナルコンピュータなどに搭載される所定厚み寸法を有するディスクドライブ装置などにも利用することができる。
また、記録媒体として、光ディスクを例示したが、その他光磁気ディスク、磁気ディスク、あるいは、これらを貼り合わせた複合ディスク、カートリッジなどにこれらのディスクを格納したカートリッジタイプの記録媒体など、各種記録媒体を利用することができる。【００７０】
さらに、シャフトとしての円軸上のガイドシャフトを例示したが、例えば断面矩形状や、楕円形状、その他異形状のガイドシャフトを用いてもよい。【００７１】
そして、上記第一実施の形態では、板ばね３１２がスライダ取付金具３１０に一体形成される構成を示したが、これに限らない。例えば、上述したように、板ばね３１２がスライダ取付金具３１０に一体的に固定される構成としてもよく、台座部２１０に固定される構成、台座部２１０と一体形成される構成などとしてもよい。
さらに、付勢手段として板ばね３１２に限られず、台座部２１０とガイドシャフト２３１Ｂとの間に設けられるコイルばねであってもよく、その他ガイドシャフト２３１Ｂを台座部２１０側からスライダ３２０のシャフト当接面３２３Ａ側に付勢する構成であれば、いかなる構成の付勢手段であってもよい。【００７２】
また、案内片２１４が台座部２１０に一体形成された例を示したが、前記したように案内片２１４が例えばねじ止めや溶接、接着などの各種固定法により台座部２１０の底面に固定される構成としてもよい。また、案内部として案内片２１４を例示したが、例えば台座部２１０の底面側にガイドシャフト２３１Ｂの軸方向に略直交する板状部材を設け、この板状部材にフォーカス方向の案内溝を形成し、案内溝にガイドシャフト２３１Ｂを保持させるなどしてもよい。【００７３】
さらに、上記実施形態において、突出板部３２３は、ガイドシャフト２３１Ｂの軸中心位置に向かうにしたがって、台座部２１０に近接する位置から台座部２１０に離隔する方向に傾斜した形状に形成される例を示したが、これに限らない。例えば、突出板部３２３は、ガイドシャフト２３１Ｂの軸中心位置に向かうにしたがって、台座部２１０に離隔する位置から台座部２１０に近接する方向に傾斜した形状に形成され、板ばね３１２は、ガイドシャフト２３１Ｂを台座部２１０に近接する方向に付勢する構成などとしてもよい。【００７４】
また、突出板部３２３は、ガイドシャフト２３１Ｂの周面と当接するシャフト当接面３２３Ａを有する構成を示したが、これに限られない。例えば、突出板部３２３に傾斜平面が形成され、この傾斜平面上に別体として形成されたシャフト当接面３２３Ａを有する略楔形状のシャフト当接部が例えば接着などにより固定された構成としてもよい。このような構成では、例えばＢＤやＨＤ−ＤＶＤなど、より精密にピックアップ装置２４０の位置を調整する必要のある場合、例えば傾斜角が緩やかなシャフト当接面３２３Ａを用いるなど、ディスク装置１００の種類により適宜シャフト当接面３２３Ａの形状を変更することができる。【００７５】
また、突出板部３２３は、調整面３２３Ｂを有する構成を示したが、これに限られない。例えば、突出板部３２３に傾斜平面が形成され、この傾斜平面上に別体として形成された調整面３２３Ｂを有する略楔形状の調整部が例えば接着などにより固定された構成としてもよい。
これらの場合、突出板部３２３は、ガイドシャフト２３１Ｂに近接する方向に突出して設けられる構成に限られず、例えば突出板部３２３がフォーカス方向に対して略直交して設ける構成などとしてもよい。【００７６】
さらに、調整面３２３Ｂは、ガイドシャフト２３１Ｂの軸中心位置から離れるにしたがって、台座部２１０の底面に近接する位置から台座部２１０の底面から離隔する方向に傾斜した形状に形成される構成などとしてもよい。【００７７】
また、調整ねじ３３０は、台座部２１０の底面に向かってねじ固定孔３１３Ｂに螺合される構成を示したが、これに限られない。例えば、調整ねじ３３０は、台座部２１０の底面から離れる方向にねじ固定孔３１３Ｂに螺合されてもよい。この場合、例えば、立上部３１３は、台座部２１０の側縁２１１Ｂの近傍で、台座部２１０の底面に突出する状態に一連に設けられている。この立上部３１３は、先端部に台座部２１０の側縁２１１Ａに向かってスライダ保持片３１３Ａが設けられている。そして、このスライダ保持片３１３Ａには、台座部２１０の底面側にスライダ３２０が設けられている。【００７８】
また、スライダ移動部材として、調整ねじ３３０を例示したが、フォーカス方向への移動により調整面３２３Ｂを押圧してスライダ３２０を移動させる構成であれば、特に限定されず、例えば、調整面３２３Ｂに当接する当接部材を例えばモータなどの駆動力によりフォーカス方向に移動させる構成としてもよい。この場合、制御回路部から出力される信号によりモータを駆動させて当接部材を移動させることで、例えばピックアップ装置２４０の位置ずれを適宜補正可能な構成としてもよい。【００７９】
また、ガイドシャフト２３１Ｂのディスク回転駆動手段２２０に近接する一端部に第二シャフト調整部３００を設ける構成を示したが、例えばガイドシャフト２３１Ａのディスク回転駆動手段２２０に近接する一端部にも、この第二シャフト調整部３００を設ける構成としてもよい。さらには、ガイドシャフト２３１Ａ、２３１Ｂの両端部にそれぞれ第二シャフト調整部３００を設ける構成としてもよい。
このような構成にすることで、ピックアップ装置２４０のスキュー高さをより精密に調整することができる。【００８０】
その他、本発明の実施の際の具体的な構造および手順は、本発明の目的を達成できる範囲で他の構造などに適宜変更できる。【００８１】
〔実施の形態の効果〕
上述したように、上記第一実施形態のディスク装置１００では、トラバースメカ２００は、ピックアップ装置２４０を移動可能に保持するガイドシャフト２３１Ｂと、ガイドシャフト２３１Ｂのフォーカス方向への移動を案内する案内片２１４と、案内片２１４の平面方向と略直交する方向に移動するスライダ３２０と、スライダ３２０の調整面３２３Ｂに当接し、フォーカス方向に移動可能な調整ねじ３３０と、ガイドシャフト２３１Ｂを台座部２１０から離れる方向に付勢する板ばね３１２と、を備えている。また、スライダ３２０には、ガイドシャフト２３１Ｂの中心位置に向かうにしたがって、台座部２１０に近接する位置から台座部２１０から離れる方向に傾斜する突出板部３２３が設けられている。この突出板部３２３には、ガイドシャフト２３１Ｂの周面と当接するシャフト当接面３２３Ａと、シャフト当接面３２３Ａの反対側の面であり、調整ねじ３３０の頭部３３２の外周と当接する調整面３２３Ｂが設けられている。そして、スライダ３２０のシャフト当接面３２３Ａは、フォーカス方向とがなす外角αが、調整面３２３Ｂとフォーカス方向とがなす外角βよりも大きくなる状態に形成されている。
このため、スライダ３２０の移動による、ガイドシャフト２３１Ｂとシャフト当接面３２３Ａとの当接点の移動量は、調整ねじ３３０と調整面３２３Ｂとの当接点が移動する移動量と同じであるものの、調整ねじ３３０のフォーカス方向の移動量に比べて、ガイドシャフト２３１Ｂのフォーカス方向への調整量を小さくすることができる。よって、調整ねじ３３０の移動量がガイドシャフト２３１Ｂの移動量となる従来の構成に比べて、より精密に、かつ容易にガイドシャフト２３１Ｂの移動量を調整することができ、ガイドシャフト２３１Ｂのスキュー高さを高精度に調整することができる。これにより、ピックアップ装置２４０を適切な位置で保持することができる。また、例えばＤＶＤ、ＢＤ、ＨＤ-ＤＶＤなどの光ディスクを情報処理するディスク装置１００では、精密な光軸設定が必要となるが、上記構成により、適切な位置に高精度にピックアップ装置２４０のスキュー高さを調整することができ、ピックアップ装置２４０により良好な情報処理を実施することができる。
【産業上の利用分野】
【００８２】
本発明は、記録媒体に所定の処理を実施するピックアップを保持するピックアップ保持装置、およびディスク装置に利用できる。
【図１】
2008107945.tif 000003
【図２】
2008107945.tif 000004
【図３】
2008107945.tif 000005
【図４】
2008107945.tif 000006
【図５】
2008107945.tif 000007
【図６】
2008107945.tif 000008
【図７】
2008107945.tif 000009
【国際調査報告】
2008107945.tif 000010
2008107945.tif 000011